(57)【要約】【課題】１個のアダプタによって複数種類のバッテリーパックを電気器具本体に脱着可能に取り付けることができるようにする構造を提供する。【解決手段】バッテリーパック用アダプタ３０は、裏面側部位に、電気器具本体１０に構造的に係合する裏面側構造的係合部３１，３３と、電気器具本体１０に電気的に接続される裏面側電源接続部３２とを備え、表面側部位に、異なった種類の複数のバッテリーパック６０，７０，８０に構造的に係合し得る構造的係合部３６，４１，５１と、複数のバッテリーパックに電気的に接続され得る電源接続部３５，４０，５０とを備える。【選択図】図５
2018186018.tif 000002
【特許請求の範囲】
【請求項１】
電気器具本体のバッテリーパック取付位置に装着されるバッテリーパック用アダプタであって、
表面側部位と裏面側部位とを有し、
前記裏面側部位に、前記電気器具本体に構造的に係合する裏面側構造的係合部と、前記電気器具本体に電気的に接続される裏面側電源接続部とを備え、
前記表面側部位に、第１のバッテリーパックに構造的に係合し得る第１構造的係合部と、前記第１のバッテリーパックの電源取り出し部に電気的に接続され得る第１電源接続部とを備え、さらに
前記表面側部位に、前記第１のバッテリーパックとは異なる第２のバッテリーパックに構造的に係合し得る第２構造的係合部と、前記第２のバッテリーパックの電源取り出し部に電気的に接続され得る第２電源接続部とを備え、
前記第１電源接続部および前記第２電源接続部は、共通の前記裏面側電源接続部に電気的に接続されている、バッテリーパック用アダプタ。
【請求項２】
前記第１電源接続部および前記第２電源接続部のうちの少なくともいずれか一方は、前記表面側部位の表面から突出する突出位置と、前記表面側部位の表面内に後退する後退位置との間を位置変更可能に設けられている、請求項１に記載のバッテリーパック用アダプタ。
【請求項３】
前記第１構造的係合部および前記第２構造的係合部のうちの少なくともいずれか一方は、前記表面側部位の表面から突出する突出位置と、前記表面側部位の表面内に後退する後退位置との間を位置変更可能に設けられている、請求項１または２に記載のバッテリーパック用アダプタ。
【請求項４】
前記第１電源接続部は、一方方向に延びる一対の第１電源刃を含み、
前記第２電源接続部は、前記第１電源刃と同方向に延びる一対の第２電源刃を含み、
前記第１電源刃と前記第２電源刃とは前記一方方向に沿って離れて位置している、請求項１〜３のいずれかに記載のバッテリーパック用アダプタ。
【請求項５】
前記第１電源接続部は、一方方向に延びる一対の電源刃を含み、
前記第２電源接続部は、前記第１電源刃と同方向に延び、前記一対の第１電源刃よりも間隔が大きい一対の第２電源刃を含み、
前記一対の第２電源刃は、前記一対の第１電源刃を挟むように位置している、請求項１〜４のいずれかに記載のバッテリーパック用アダプタ。
【請求項６】
前記電気器具は、照明器具である、請求項１〜５のいずれかに記載のバッテリーパック用アダプタ。
【発明の詳細な説明】
【技術分野】
【０００１】
この発明は、バッテリーパックを照明器具等の電気器具に脱着可能に取り付けるためのバッテリーパック用アダプタに関するものである。
【背景技術】
【０００２】
照明器具等の電気器具の中には、充電式のバッテリーパックを脱着可能に取付けるタイプのものがある。一般的には、この種の電気器具では、専用のバッテリーパックが用意されており、製造メーカーが異なるバッテリーパックを取付けることができない。
【０００３】
特開２００５−２３４５６３号公報（特許文献１）は、上記の問題点に着目し、複数種類のカメラ付属部品の互換性を実現できるようにしたビデオカメラを提案している。
【先行技術文献】
【特許文献】
【０００４】
【特許文献１】特開２００５−２３４５６３号公報
【発明の概要】
【発明が解決しようとする課題】
【０００５】
特許文献１に開示されたビデオカメラでは、複数種類のバッテリーまたはバッテリーパックにそれぞれアダプタが取り付けられており、各アダプタは、ビデオカメラ本体に接続されるべき構造が共通している。
【０００６】
上記の特許文献１に開示されたビデオカメラによれば、複数種類のバッテリー又はバッテリーパックをビデオカメラ本体に取り付けることが可能であるが、各バッテリー又はバッテリーパックが専用のアダプタを有しているため、アダプタも複数種類用意しておかなければならず、煩雑である。
【０００７】
本発明の目的は、１個のアダプタによって複数種類のバッテリーパックを電気器具本体に脱着可能に取り付けることができるようにする構造を提供することである。
【課題を解決するための手段】
【０００８】
本発明に従ったバッテリーパック用アダプタは、電気器具本体のバッテリーパック取付位置に装着されるものであって、表面側部位と裏面側部位とを有する。アダプタは、裏面側部位に、電気器具本体に構造的に係合する裏面側構造的係合部と、電気器具本体に電気的に接続される裏面側電源接続部とを備える。
【０００９】
アダプタは、表面側部位に、第１のバッテリーパックに構造的に係合し得る第１構造的係合部と、第１のバッテリーパックの電源取り出し部に電気的に接続され得る第１電源接続部とを備え、第１のバッテリーパックとは異なる第２のバッテリーパックに構造的に係合し得る第２構造的係合部と、第２のバッテリーパックの電源取り出し部に電気的に接続され得る第２電源接続部とを備える。第１電源接続部および第２電源接続部は、共通の裏面側電源接続部に電気的に接続されている。
【００１０】
一つの実施形態では、第１電源接続部および第２電源接続部のうちの少なくともいずれか一方は、アダプタの表面側部位の表面から突出する突出位置と、表面側部位の表面内に後退する後退位置との間を位置変更可能に設けられている。
【００１１】
さらに一つの実施形態では、第１構造的係合部および第２構造的係合部のうちの少なくともいずれか一方は、アダプタの表面側部位の表面から突出する突出位置と、表面側部位の表面内に後退する後退位置との間を位置変更可能に設けられている。
【００１２】
さらに一つの実施形態では、第１電源接続部は、一方方向に延びる一対の第１電源刃を含み、第２電源接続部は、第１電源刃と同方向に延びる一対の第２電源刃を含み、第１電源刃と第２電源刃とは上記一方方向に沿って離れて位置している。
【００１３】
さらに一つの実施形態では、第１電源接続部は、一方方向に延びる一対の電源刃を含み、第２電源接続部は、第１電源刃と同方向に延び、一対の第１電源刃よりも間隔が大きい一対の第２電源刃を含む。一対の第２電源刃は、一対の第１電源刃を挟むように位置している。
【００１４】
電気器具は、例えば、照明器具である。
【発明の効果】
【００１５】
上記構成の本発明によれば、１個のアダプタによって、異なった種類の複数のバッテリーパックを電気器具本体に脱着可能に取り付けることが可能となる。
【図面の簡単な説明】
【００１６】
【図１】電気器具の一例としての照明器具を示す斜視図である。
【図２】図１の照明器具を後方から見た斜視図である。
【図３】図１の照明器具の側面図である。
【図４】図１の照明器具から専用のバッテリーパックを分離した状態を示す斜視図である。
【図５】照明器具本体と、１個のバッテリーパック用アダプタと、３種類のバッテリーパックとを示す分解斜視図である。
【図６】照明器具本体にＰ社のバッテリーパックを取付けた状態の斜視図である。
【図７】照明器具本体にＨ社のバッテリーパックを取付けた状態の斜視図である。
【図８】照明器具本体にＭ社のバッテリーパックを取付けた状態の斜視図である。
【図９】バッテリーパック用アダプタの六面図である。
【図１０】照明器具本体とバッテリーパック用アダプタとを分離して示す斜視図である。
【図１１】照明器具本体にバッテリーパック用アダプタを取付けた状態の斜視図である。
【図１２】バッテリーパック用アダプタを示す斜視図であり、（ａ）はＰ社用案内部材を後退させている状態を示し、（ｂ）はＰ社用案内部材を突出させている状態を示している。
【図１３】バッテリーパック用アダプタを取付けた照明器具本体と、Ｐ社製バッテリーパックとを分離して示す斜視図である。
【図１４】Ｈ社製バッテリーパックを取付けるのに適した状態としたバッテリーパック用アダプタを示す斜視図である。
【図１５】バッテリーパック用アダプタを取付けた照明器具本体と、Ｈ社製バッテリーパックとを分離して示す斜視図である。
【図１６】Ｍ社製バッテリーパックを取付けるのに適した状態としたバッテリーパック用アダプタを示す斜視図である。
【図１７】バッテリーパック用アダプタを取付けた照明器具本体と、Ｍ社製バッテリーパックとを分離して示す斜視図である。
【発明を実施するための形態】
【００１７】
図１〜図４は、この発明が適用される電気器具の一例である照明器具を示している。図１は前方から見た斜視図、図２は後方から見た斜視図、図３は側面図、図４は専用のバッテリーパックを分離して示す斜視図である。
【００１８】
照明器具１００は、光源としてＬＥＤを用いた器具本体１０と、両端が器具本体に固定された逆Ｕ字形状のハンドル１４と、器具本体を下方から支えるベース脚１５と、器具本体の背面に脱着可能に取り付けられた専用のバッテリーパック２０とを備える。
【００１９】
バッテリーパック２０は、裏面側部位に、器具本体１０に構造的に係合する裏面側構造的係合部と、器具本体１０に電気的に接続される裏面側電源接続部とを備える。
【００２０】
具体的には、構造的係合を実現するために、バッテリーパック２０の裏面の上縁及び下縁に突出して延びるリブ２１が設けられており、このリブ２１は、器具本体１０の背面に設けられた受入れ案内部１１に係合し、それによってバッテリーパック２０を器具本体１０の背面に取り付ける。
【００２１】
バッテリーパック２０の取付状態をロックするために、バッテリーパック２０には、操作部材２４によって動作し得るロック爪２３が設けられており、それに対応して、器具本体１０の背面にはロック爪２３に係合し得るロック穴１３が設けられている。ロック爪２３とロック穴１３とが係合しているときには、器具本体１０に対するバッテリーパック２０の取付状態がロックされる。
【００２２】
バッテリーパック２０を器具本体から取り外す場合には、操作部材２４を操作してロック爪２３をロック解除位置にもたらす。その状態でバッテリーパック２０を手で掴んで横方向にスライドさせれば、リブ２１が受け入れ案内部１１から外れるので、バッテリーパック２０を器具本体１０から取り外すことが可能になる。
【００２３】
バッテリーパック２０と照明器具本体１０との電気的接続を図るために、バッテリーパック２０にはコネクターピン２２が設けられ、器具本体１０にはコネクターピン２２を受け入れるピン差込穴１２が設けられる。コネクターピン２２をピン差込穴１２に差し込めば、バッテリーパック２０の電源が照明器具本体１０に供給される。
【００２４】
バッテリーパック２０は、図示する照明器具１００の専用品であり、アダプタを用いることなく器具本体１０に脱着可能である。本発明の特徴は、専用品のバッテリーパック以外の他社製のバッテリーパックも脱着可能に取り付けるためのバッテリーパック用アダプタを備える点にある。図５は、その概念図を示している。１個のバッテリーパック用アダプタ３０は、３種類のバッテリーパック６０，７０，８０を照明器具本体１０に脱着可能に取り付けるためのものである。
【００２５】
図６は、Ｐ社製バッテリーパック６０をアダプタ３０を介して照明器具本体１０に取り付けている状態を示し、図７は、Ｈ社製バッテリーパック７０をアダプタ３０を介して照明器具本体１０に取り付けている状態を示し、図８は、Ｍ社製バッテリーパック８０をアダプタ３０を介して照明器具本体１０に取り付けている状態を示している。
【００２６】
図９は、バッテリーパック用アダプタ３０の六面図である。（ａ）は正面図、（ｂ）は平面図、（ｃ）は底面図、（ｄ）は左側面図、（ｅ）は右側面図、（ｆ）は背面図である。
【００２７】
バッテリーパック用アダプタ３０は、正面図（ａ）に示す表面側部位と、背面図（ｆ）に示す裏面側部位とを有している。アダプタ３０の表面側部位に各社のバッテリーパック６０，７０，８０が脱着可能に取り付けられる。アダプタ３０の裏面側部位は、照明器具本体１０の背面に脱着可能に取り付けられる。
【００２８】
図１０は、アダプタ３０の裏面側部位と、照明器具本体１０の背面とを示している。アダプタ３０は、裏面側部位に、照明器具本体１０に構造的に係合する裏面側構造的係合部と、照明器具本体１０に電気的に接続される裏面側電源接続部とを備える。アダプタ３０の裏面側部位の構造と、専用バッテリーパック２０の裏面側部位の構造とは、実質的に同じである。
【００２９】
具体的には、構造的係合を実現するために、アダプタ３０の裏面の上縁及び下縁に突出して延びるリブ３１が設けられている。このリブ３１は、器具本体１０の背面に設けられた受入れ案内部１１に係合し、それによってアダプタ３０を器具本体１０の背面に取り付ける。
【００３０】
アダプタ３０の取付状態をロックするために、アダプタ３０には、操作部材３４によって動作し得るロック爪３３が設けられている。ロック爪３３と器具本体１０のロック穴１３とが係合しているときには、器具本体１０に対するアダプタ３０の取付状態がロックされる。図１１は、アダプタ３０を照明器具本体１０の背面に取り付けた状態を示している。
【００３１】
アダプタ３０を器具本体１０から取り外す場合には、操作部材３４を操作してロック爪３３をロック解除位置にもたらす。その状態でアダプタ３０を手で掴んで横方向にスライドさせれば、リブ３１が受け入れ案内部１１から外れるので、アダプタ３０を器具本体から取り外すことが可能になる。
【００３２】
アダプタ３０と照明器具本体１０との電気的接続を図るために、アダプタ３０にはコネクターピン３２が設けられている。アダプタ３０のコネクターピン３２を器具本体１０のピン差込穴１２に差し込めば、アダプタ３０と照明器具本体１０とが電気的に接続された状態となる。
【００３３】
アダプタ３０は、表面側部位に、Ｐ社製バッテリーパック６０との接続に適した構造と、Ｈ社製のバッテリーパック７０との接続に適した構造と、Ｍ社製バッテリーパック８０との接続に適した構造とを備えている。
【００３４】
具体的には、アダプタ３０は、Ｐ社製バッテリーパック６０との接続のために、Ｐ社用電源刃３５と、Ｐ社用案内部材３６とを備える。さらに、アダプタ３０は、Ｈ社製バッテリーパック７０との接続のために、Ｈ社用電源刃４０と、Ｈ社用案内部材４１とを備える。さらに、アダプタ３０は、Ｍ社製バッテリーパック８０との接続のために、Ｍ社用電源刃５０と、Ｍ社用案内部材５１とを備える。電源刃３５、４０、５０は、それぞれ、同方向に延びる一対の刃を備える。
【００３５】
図１２は、アダプタ３０の表面側部位を示す斜視図である。アダプタ３０は、Ｐ社製バッテリーパック６０に構造的に係合し得る構造的係合部と、Ｐ社製バッテリーパック６０の電源取り出し部に電気的に接続され得る電源接続部とを備える。アダプタ３０の表面側部位に固定されたＰ社用電源刃３５が電源接続部となる。この電源刃３６は、アダプタ３０の裏面側部位に設けられたコネクターピン３２に電気的に接続されている。また、電源刃３５を挟む上下の位置に設けられたＰ社用案内部材３６が構造的係合部となる。
【００３６】
案内部材３６は、（ｂ）に示す位置、すなわちアダプタ３０の表面側部位から突出する突出位置と、（ａ）に示す位置、すなわちアダプタ３０の表面側部位から表面内に後退する後退位置との間を位置変更可能に設けられている。図１２（ａ）に示すロック解除ボタン３８を押すと、案内部材３６を（ａ）に示す後退位置から（ｂ）に示す突出位置に引き出すことができる。
【００３７】
図９（ａ）および図１２（ｂ）に示すように、上下に位置する一対の案内部材３６は、互いに向かって突出する突起部３７を含む。Ｐ社製バッテリーパック６０との接続を図る際には、一対の案内部材３６は、図１２（ｂ）に示す突出位置にもたらされる。
【００３８】
図１３は、Ｐ社製バッテリーパック６０の裏面側部位と、Ｐ社製バッテリーパック６０を受け入れるアダプタ３０の表面側部位とを示している。Ｐ社製バッテリーパック６０は、アダプタ３０のＰ社用電源刃３５を受け入れる刃受け入れ溝６１と、アダプタ３０の案内部材３６の突起部３７を受け入れる突起受け入れ溝６２とを有する。
【００３９】
Ｐ社製バッテリーパック６０の突起受け入れ溝６２とアダプタ３０のＰ社用案内部材３６の突起部３７とを係合させ、Ｐ社製バッテリーパック６０の刃受け入れ溝６１とアダプタ３０のＰ社用電源刃３５とを係合させることによってＰ社製バッテリーパック６０をアダプタ３０の表面側部位に取り付けると、バッテリーパック６０の電源が、受け入れ溝６２、電源刃３５、コネクターピン３２およびピン差込穴１２を介して照明器具本体１０に供給される。
【００４０】
図１４は、Ｈ社製バッテリーパック７０との接続に適した形態とされたアダプタ３０の表面側部位を示す斜視図である。アダプタ３０は、Ｈ社製バッテリーパック７０に構造的に係合し得る構造的係合部と、Ｈ社製バッテリーパック７０の電源取り出し部に電気的に接続され得る電源接続部とを備える。アダプタ３０の表面側部位に設けられたＨ社用電源刃４０が電源接続部となる。この電源刃４０は、アダプタ３０の裏面側部位に設けられたコネクターピン３２に電気的に接続されている。
【００４１】
図１２と図１４とを比較すればわかるように、Ｈ社用電源刃４０は、アダプタ３０の表面側部位の表面から突出する突出位置（図１４）と、表面側部位の表面内に後退する後退位置（図１２）との間を位置変更可能に設けられている。また、電源刃４０を挟む上下の位置に設けられたＨ社用案内部材４１が構造的係合部となる。
【００４２】
図１５は、Ｈ社製バッテリーパック７０の裏面側部位と、Ｈ社製バッテリーパック７０を受け入れるアダプタ３０の表面側部位とを示している。Ｈ社製バッテリーパック７０は、アダプタ３０のＨ社用電源刃４０を受け入れる刃受け入れ溝７１と、アダプタ３０の案内部材４１に係合する当接係止部７２とを有する。
【００４３】
Ｈ社製バッテリーパック７０の当接係止部７２とアダプタ３０のＨ社用案内部材４１とを係合させ、Ｈ社製バッテリーパック７０の刃受け入れ溝７１とアダプタ３０のＨ社用電源刃４０とを係合させることによってＨ社製バッテリーパック７０をアダプタ３０の表面側部位に取り付けると、バッテリーパック７０の電源が、刃受け入れ溝７１、電源刃４０、コネクターピン３２およびピン差込穴１２を介して照明器具本体１０に供給される。
【００４４】
図１６は、Ｍ社製バッテリーパック８０との接続に適した形態とされたアダプタ３０の表面側部位を示す斜視図である。アダプタ３０は、Ｍ社製バッテリーパック８０に構造的に係合し得る構造的係合部と、Ｍ社製バッテリーパック８０の電源取り出し部に電気的に接続され得る電源接続部とを備える。アダプタ３０の表面側部位に設けられたＭ社用電源刃５０が電源接続部となる。この電源刃５０は、アダプタ３０の裏面側部位に設けられたコネクターピン３２に電気的に接続されている。
【００４５】
図１２と図１６とを比較すればわかるように、Ｍ社用電源刃５０は、アダプタ３０の表面側部位の表面から突出する突出位置（図１６）と、表面側部位の表面内に後退する後退位置（図１２）との間を位置変更可能に設けられている。また、電源刃５０を挟む上下の位置に設けられたＭ社用案内部材５１が構造的係合部となる。図示した実施形態では、Ｈ社用案内部材４１とＭ社用案内部材５１とは、共通である。
【００４６】
図１７は、Ｍ社製バッテリーパック８０の裏面側部位と、Ｍ社製バッテリーパック８０を受け入れるアダプタ３０の表面側部位とを示している。Ｍ社製バッテリーパック８０は、アダプタ３０のＭ社用電源刃５０を受け入れる刃受け入れ溝８１と、アダプタ３０の案内部材５１に係合する当接係止部８２とを有する。
【００４７】
Ｍ社製バッテリーパック８０の当接係止部８２とアダプタ３０のＭ社用案内部材５１とを係合させ、Ｍ社製バッテリーパック８０の刃受け入れ溝８１とアダプタ３０のＭ社用電源刃５０とを係合させることによってＭ社製バッテリーパック８０をアダプタ３０の表面側部位に取り付けると、バッテリーパック８０の電源が、刃受け入れ溝８１、電源刃５０、コネクターピン３２およびピン差込穴１２を介して照明器具本体１０に供給される。
【００４８】
図示した実施形態では、アダプタ３０の表面側部位において、Ｐ社用電源刃３５とＨ社用電源刃４０とは一方方向に離れて位置し、同様に、Ｐ社用電源刃３５とＭ社用電源刃５０とは一方方向に離れて位置している。また、Ｍ社用電源刃５０の一対の刃の間隔は、Ｈ社用電源刃４０の一対の刃の間隔よりも大きく、Ｍ社用電源刃５０がＨ社用電源刃を挟むように位置している。
【００４９】
以上説明したように、バッテリーパック用アダプタ３０は、裏面側部位に、電気器具本体に構造的に係合する構造的係合部と電気的に接続される電源接続部とを備え、表面側部位に、異なった種類の複数のバッテリーパックに構造的に係合する複数の構造的係合部と電気的に接続され得る複数の電源接続部とを備えている。したがって、１個のアダプタによって、複数種類のバッテリーパックを電気器具本体に脱着可能に取り付けることができる。
【００５０】
図面を参照して本発明の実施形態を説明したが、図示した構造及び形態は例示的なものである。本発明の思想と実質的に同一の範囲内で、或いは均等の範囲内で、種々の構造及び形態の変更が可能である。
【産業上の利用可能性】
【００５１】
本発明は、異なった種類のバッテリーパックに適合する電気器具のバッテリーパック用アダプタとして有利に利用され得る。
【符号の説明】
【００５２】
１００  照明器具、１０  器具本体、１１  受け入れ案内部、１２  ピン差込穴、１３  ロック穴、１４  ハンドル、１５  ベース脚、２０  バッテリーパック、２１  リブ、２２  コネクターピン、２３  ロック爪、２４  操作部、３０  アダプター、３１  リブ、３２  コネクターピン、３３  ロック爪、３４  操作部、３５  Ｐ社用電源刃、３６  Ｐ社用案内部材、３７  突起部、３８  ロック解除ボタン、４０  Ｈ社用電源刃、４１  Ｈ社用案内部材、５０  Ｍ社用電源刃、５１  Ｍ社用案内部材、６０  Ｐ社製バッテリーパック、６１  刃受け入れ溝、６２  突起受け入れ溝、７０  Ｈ社製バッテリーパック、７１  刃受け入れ溝、７２  当接係止部、８０  Ｍ社製バッテリーパック、８１  刃受け入れ溝、８２  当接係止部。
【図１】
2018186018.tif 000003
【図２】
2018186018.tif 000004
【図３】
2018186018.tif 000005
【図４】
2018186018.tif 000006
【図５】
2018186018.tif 000007
【図６】
2018186018.tif 000008
【図７】
2018186018.tif 000009
【図８】
2018186018.tif 000010
【図９】
2018186018.tif 000011
【図１０】
2018186018.tif 000012
【図１１】
2018186018.tif 000013
【図１２】
2018186018.tif 000014
【図１３】
2018186018.tif 000015
【図１４】
2018186018.tif 000016
【図１５】
2018186018.tif 000017
【図１６】
2018186018.tif 000018
【図１７】
2018186018.tif 000019
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
電気器具本体のバッテリーパック取付位置に装着されるバッテリーパック用アダプタであって、
表面側部位と裏面側部位とを有し、
前記裏面側部位に、前記電気器具本体に構造的に係合する裏面側構造的係合部と、前記電気器具本体に電気的に接続される裏面側電源接続部とを備え、
前記表面側部位に、第１のバッテリーパックに構造的に係合し得る第１構造的係合部と、前記第１のバッテリーパックの電源取り出し部に電気的に接続され得る第１電源接続部とを備え、さらに
前記表面側部位に、前記第１のバッテリーパックとは異なる第２のバッテリーパックに構造的に係合し得る第２構造的係合部と、前記第２のバッテリーパックの電源取り出し部に電気的に接続され得る第２電源接続部とを備え、
前記第１電源接続部および前記第２電源接続部は、共通の前記裏面側電源接続部に電気的に接続されている、バッテリーパック用アダプタ。
【請求項２】
前記第１電源接続部および前記第２電源接続部のうちの少なくともいずれか一方は、前記表面側部位の表面から突出する突出位置と、前記表面側部位の表面内に後退する後退位置との間を位置変更可能に設けられている、請求項１に記載のバッテリーパック用アダプタ。
【請求項３】
前記第１構造的係合部および前記第２構造的係合部のうちの少なくともいずれか一方は、前記表面側部位の表面から突出する突出位置と、前記表面側部位の表面内に後退する後退位置との間を位置変更可能に設けられている、請求項１または２に記載のバッテリーパック用アダプタ。
【請求項４】
前記第１電源接続部は、一方方向に延びる一対の第１電源刃を含み、
前記第２電源接続部は、前記第１電源刃と同方向に延びる一対の第２電源刃を含み、
前記第１電源刃と前記第２電源刃とは前記一方方向に沿って離れて位置している、請求項１〜３のいずれかに記載のバッテリーパック用アダプタ。
【請求項５】
前記第１電源接続部は、一方方向に延びる一対の第１電源刃を含み、
前記第２電源接続部は、前記第１電源刃と同方向に延び、前記一対の第１電源刃よりも間隔が大きい一対の第２電源刃を含み、
前記一対の第２電源刃は、前記一対の第１電源刃を挟むように位置している、請求項１〜３のいずれかに記載のバッテリーパック用アダプタ。
【請求項６】
前記電気器具は、照明器具である、請求項１〜５のいずれかに記載のバッテリーパック用アダプタ。